(57)【要約】【課題】所定の波長光に応じて表示される形状が複数の部分によって構成されていることが視認されにくく、美観を損なわないような可変表示構造を提供する。【解決手段】基材層１００上に、第１の波長光のみを透過する第１の透過層１３０、及び第２の波長光のみを透過する第２の透過層１２０が設けられ、照射される光の波長に応じて第１の形状１０又は第２の形状２０を表示する可変表示構造１であって、第１の形状１０及び第２の形状２０が重なる重複部４０に位置する第１の光調整層１４０と、基材層の層面全体に設けられた第２の光調整層１１０とが更に基材層１００上に設けられ、第２の光調整層１１０の透過特性は、第１の色に対応する波長光に対して第１の透過層１３０の透過特性と同様であり、第２の色に対応する波長光に対して第２の透過層１２０の透過特性と同様であり、第１の光調整層１４０は透過する波長光の輝度を調整する。【選択図】図４
2008257054.tif 000002
【特許請求の範囲】
【請求項１】
基材層上に、第１の色に対応する波長光を透過し、前記第１の色と異なる第２の色に対応する波長光をほとんど透過させない透過特性を有する第１のインクで構成された第１の透過層と、前記第１の色に対応する波長光をほとんど透過させず、前記第２の色に対応する波長光を透過する透過特性を有する第２のインクで構成された第２の透過層とが設けられ、前記第１の色に対応する波長光が照射されると前記第１の透過層を透過した前記波長光によって第１の形状を表示し、前記第２の色に対応する波長光が照射されると前記第２の透過層を透過した前記波長光によって第２の形状を表示するように構成された可変表示構造であって、
前記基材層には、前記第１の形状と前記第２の形状とが重なる重複部に位置する第１の光調整層と、前記基材層の層面全体に設けられた第２の光調整層と、が更に設けられ、
前記第１の光調整層及び前記第２の光調整層のそれぞれは、前記第１の色に対応する波長光及び前記第２の色に対応する波長光を所定の透過率で透過し、少なくともいずれか一方は、前記第１の色に対応する波長光の周辺波長から、第１の色に対応する波長光と第２の色に対応する波長光との中間波長周辺までは前記第１のインクの透過特性と同様の透過特性を有し、前記中間波長周辺から前記第２の色に対応する波長光の周辺波長までは前記第２のインクの透過特性と同様の透過特性を有する、ことを特徴とする可変表示構造。
【請求項２】
前記第１の色に対応する波長光及び前記第２の色に対応する波長光のそれぞれは、いずれか一方は短波長光であり、他方は長波長光であることを特徴とする請求項１に記載の可変表示構造。
【請求項３】
前記第１の形状及び前記第２の形状を除いた背景部は第１の波長光及び第２の波長光のいずれもほとんど透過しないことを特徴とする請求項１又は２に記載の可変表示構造。
【請求項４】
前記基材層上の前記背景部に対応する位置には、前記第１の透過層及び前記第２の透過層が重ねされて設けられていることを特徴とする請求項３に記載の可変表示構造。
【請求項５】
前記基材層上において、重複部に隣接する第１の単色部又は第２の単色部に対応する位置には、位置すべき第１の透過層又は第２の透過層が前記重複部から延長した状態で設けられていることを特徴とする請求項４に記載の可変表示構造。
【請求項６】
前記第２の光調整層の上に前記第１の透過層、前記第２の透過層、及び前記第１の光調整層が請求項１〜５のいずれか１項に記載の状態で設けられた１組の積層体が、前記基材層上に複数組積層されていることを特徴とする可変表示構造。
【発明の詳細な説明】
【技術分野】
【０００１】
本発明は、照射される光の波長に応じた形状を表示する可変表示構造に関する。
【背景技術】
【０００２】
第１の色に対応する波長光の照射及び第２の色に対応する波長光の照射を切り替えることにより、異なる形状又は部分が各波長光に対応する色で表示されるように構成された可変表示構造は既に存在する（例えば、特許文献１及び特許文献２参照）。照射される各波長光によって表示される各形状は、表示される他の形状と重なる重複部と、他の形状と重ならない単色部とで構成される。このような可変表示構造において、例えば、第１の色についての単色部に対応する位置には、第１の色に対応する波長光を透過させ、第２の色に対応する波長光をほとんど透過させない第１の透過層が設けられる。一方、重複部に対応する位置には輝度を調節するための輝度調整部のみが設けられている（例えば、特許文献２参照）。
【０００３】
【特許文献１】特開２００１−１００６７９号公報
【特許文献２】特開２００５−２５７９３８号公報
【発明の開示】
【発明が解決しようとする課題】
【０００４】
しかし、重複部は全ての波長光を透過率１００％で透過するため、例えば、第１の色に対応する波長光を照射した場合、重複部の透過光の色と第１の透過層を透過する透過光の色との色相が異なってしまう場合がある。このような場合、表示される形状において、重複部の存在が容易に視認されてしまい、表示される形状の美観を損なってしまう問題がある。また、重複部のみで調光を行っているため、調光層の位置合わせに高い精度が必要となり、位置ずれが生じた場合には光漏れが発生するという問題がある。
【０００５】
そこで、本発明は、所定の波長光に応じて表示される形状が複数の部分によって構成されていることが視認されにくく、美観を損なわないような可変表示構造を提供することを目的とする。
【課題を解決するための手段】
【０００６】
本発明は、以下の方法により上述した課題を解決する。なお、本発明の理解を容易にするために添付図面の参照符号を括弧書きにて付記するが、それにより本発明が図示の形態に限定されるものではない。
【０００７】
本発明の可変表示構造（１）は、基材層（１００）上に、第１の色に対応する波長光（７０）を透過し、前記第１の色と異なる第２の色に対応する波長光（８０）をほとんど透過させない透過特性を有する第１のインクで構成された第１の透過層（１３０）と、前記第１の色に対応する波長光をほとんど透過させず、前記第２の色に対応する波長光を透過する透過特性を有する第２のインクで構成された第２の透過層（１２０）とが設けられ、前記第１の色に対応する波長光が照射されると前記第１の透過層を透過した前記波長光によって第１の形状（１０）を表示し、前記第２の色に対応する波長光が照射されると前記第２の透過層を透過した前記波長光によって第２の形状（２０）を表示するように構成された可変表示構造であって、前記基材層には、前記第１の形状及び前記第２の形状が重なる重複部（４０）に位置する第１の光調整層（１４０）と、前記基材層の層面全体に設けられた第２の光調整層（１１０）と、が更に設けられ、  前記第１の光調整層及び前記第２の光調整層のそれぞれは、前記第１の色に対応する波長光及び前記第２の色に対応する波長光を所定の透過率で透過し、少なくともいずれか一方は、前記第１の色に対応する波長光の周辺波長から、第１の色に対応する波長光と第２の色に対応する波長光との中間波長周辺までは前記第１のインクの透過特性（２１０）と同様の透過特性を有し、前記中間波長周辺から前記第２の色に対応する波長光の周辺波長までは前記第２のインクの透過特性（３１０）と同様の透過特性を有することにより、上記の課題を解決する。
【０００８】
本発明の可変表示構造によれば、第１の光調整層及び第２の光調整層のうち少なくとも一方は、第１の色に対応する波長光に対しては、第１のインクと同様の透過特性を示し、第２の色に対応する波長光に対しては、第２のインクと同様の透過特定を示すことができる。従って、例えば、第１の色に対応する波長光を可変表示構造に対して照射した場合、第１のインクで構成された第１の透過層を透過した光の色と、重複部を透過した光の色との色相を揃えることができる。第２の色に対応する波長光についても同様である。また、第２の光調整層は基材層の層面全体に設けられているため、照射された光の光漏れの防止が全体的にでき、また、基材層上に積層する際の位置制御も容易である。
【０００９】
更に、第１の光調整層及び第２の光調整層のうちいずれか一方のみが上記透過特性を有する場合であっても、他の一方によって透過光の輝度が調節できるため、重複部の透過光と他の部分の透過光との輝度を揃えることができる。なお、可変表示構造は、２以上の色のそれぞれに対応した２以上の形状を表現してもよく、その場合は、使用される色のうち任意の２色に関して本発明が適用されるようにすればよい。
【００１０】
前記第１の色に対応する波長光及び前記第２の色に対応する波長光のそれぞれは、いずれか一方は短波長光であり、他方は長波長光であってもよい。短波長光としては例えば青色波長光があり、長波長光としては例えば赤色波長光がある。特に２色に限定して制御する場合、波長の差が大きいので制御しやすい。
【００１１】
前記第１の形状及び前記第２の形状を除いた背景部は第１の波長光及び第２の波長光のいずれも透過しなくてもよい。これにより、可変表示構造が第１の色に対応する波長光及び第２の色に対応する波長光以外の光が照射されない状態に設置された場合、黒地に第１の形状又は第２の形状を表示することができる。
【００１２】
前記基材層上の前記背景部に対応する位置には、前記第１の透過層及び前記第２の透過層が重ねされて設けられてもよい。第１の透過層及び第２の透過層を重ねることにより、第１の色に対応する波長光も第２の色に対応する波長光もほとんど透過させない層を作ることができる。これにより、第１の透過層及び第２の透過層とは別の例えば略黒色の層を用意する必要がない。また、印刷層数を必要最小限とすることができるので、重ね印刷によって生じる段差及び隙間を最小限にできる。従って、コストの節約及び品質向上に有効である。
【００１３】
前記基材層上において、重複部に隣接する第１の単色部又は第２の単色部に対応する位置には、位置すべき第１の透過層又は第２の透過層が前記重複部から延長した状態で設けられていてもよい。これにより、第１の透過層又は第２の透過層が重複部から対応する単色部へ隙間なく続くので、隣接する重複部と第１の単色部又は第２の単色部との間の光漏れを防止することができる。
【００１４】
また、本発明の可変表示構造は、前記第２の光調整層の上に前記第１の透過層、前記第２の透過層、及び前記第１の光調整層が請求項１〜５のいずれか１項に記載の状態で設けられた１組の積層体（Ｂ）を、前記基材層上に複数組積層してもよい。
【００１５】
表示される色を濃くするためには各層の厚みを厚くする必要がある。例えば、各層が熱転写印刷によって設けられる場合、厚さが厚い層が印刷によって間欠的に積層されると、印刷割れが起きやすくなる。本発明のように、各層を薄くして、第２の光調整層から第１の光調整層までの積層体を１組として、複数組の積層体を基材層上に積み重ねれば、印刷される各層は薄いので、印刷割れの発生を抑えることができる。
【発明の効果】
【００１６】
以上説明したように、本発明によれば、第２の光調整層は、基材層の層面全体に設けられ、第１の色に対応する波長光の周辺波長から、第１の色に対応する波長光と第２の色に対応する波長光との中間波長周辺までは前記第１のインクの透過特性と同様の透過特性を有し、中間波長周辺から第２の色に対応する波長光の周辺波長までは第２のインクの透過特性と同様の透過特性を有し、かつ、第１の光調整層は、重複部に対してのみ設けられ、少なくとも第１及び第２の色に対応する波長光を透過し、透過する波長光の輝度を調整することにより、所定の波長光に応じて表示される形状が複数の部分によって構成されていることが視認されにくく、美観を損なわないような可変表示構造を提供することができる。
【発明を実施するための最良の形態】
【００１７】
図１は、本発明の可変表示構造１の一例を正面から見た図である。可変表示構造１は、文字「Ｎ」を示す第１の形状部１０と文字「Ｆ」を示す第２の形状部２０と第１の形状部１０及び第２の形状部２０の背景となる背景部３０とで構成される。第１の形状部１０は、第２の形状部２０と重なる部分である重複部４０と第２の形状部２０と重ならない部分である第１の単色部５０とで構成される。第２の形状部２０は、第１の形状部１０と重なる部分である重複部４０と第１の形状部１０と重ならない部分である第２の単色部６０とで構成される。
【００１８】
可変表示構造１の背面側に、第１の色としての青色に対応する波長光７０（以下「青色波長光７０」という）を照射する青色ＬＥＤ７１と、第２の色としての赤色に対応する波長光８０（以下「赤色波長光８０」という）を照射する赤色ＬＥＤ８１とを設けた場合に、可変表示構造１が表示する形状について説明する。図２は、青色ＬＥＤ７１が点灯され、赤色ＬＥＤ８１が消灯されている時の可変表示構造１のようすを示す。青色波長光７０は第１の形状部１０を透過するので、第１の形状部１０は青色に明るく表示されるが、第２の単色部６０を透過する波長光はなく、第２の単色部６０は略黒色の背景部３０と同化して第１の形状部１０の背景となる。
【００１９】
一方、図３は、赤色ＬＥＤ８１が点灯され青色ＬＥＤ７１が消灯されている時の可変表示構造１のようすを示す。赤い色波長光８０は第１の形状部２０を透過するので、第２の形状部２０は明るく赤色に表示されるが、第１の単色部５０を透過する波長光はなく、第１の単色部５０は略黒色の背景部３０と同化して第２の形状部２０の背景となる。
【００２０】
可変表示構造１の層構造について、図１の可変表示構造１をＡ−Ａ線で切断した図４を用いて説明する。可変表示構造１は、透明基材シート１００上に、第２の光調整層としての色相調整層１１０と、第２の透過層としての赤色インク層１２０と、第１の透過層としての青色インク層１３０と、第１の光調整層としての輝度調整層１４０と、可変表示構造１の表面を保護する透明樹脂層１５０とが積層されている。本形態において、第１の単色部５０は青色のみに表現される部分であるので、以下「青色単色部５０」といい、第２の単色部６０は赤色のみに表現される部分であるので、以下「赤色単色部６０」という。また、色を区別する必要のない時は、青色単色部５０及び赤色単色部６０を区別せずに単に「単色部５０、６０」という。
【００２１】
赤色インク層１２０は、背景部３０及び赤色単色部６０に対応する位置に設けられている。青色インク層１３０は、背景部３０及び青色単色部５０に対応する位置に設けられている。このように、背景部３０では赤色インク層１２０及び青色インク層１３０が重ねられた状態となっている。色相調整層１１０は、透明基材シート１００の層面全体、即ち、各部３０、４０、５０、６０に対して設けられている。一方、輝度調整層１４０は重複部４０に対してのみ設けられている。
【００２２】
上述した各層１１０…１５０を透明基材シート１００上の配置すべき位置に設ける方法として、例えば、熱転写による印刷方法がある。この場合、各層に対応するリボンを用意し、印刷位置をコンピュータ制御して透明基材シート１００上に各層を印刷すればよい。
【００２３】
上述したように、色相調整層１１０を全部分３０、４０、５０、６０に設けることにより、隣接する重複部４０と単色部５０、６０との境界をはじめ、各部３０、４０、５０、６０の境界部分における光漏れを防止することができる。また、背景部３０に隣接する単色部５０、６０を構成するインク層１２０、１３０は、単色部５０、６０に対応する色のインク層１２０、１３０が背景部３０から延長した状態で設けられるので、背景部３０と単色部５０、６０との光漏れを更に防止することができる。
【００２４】
各層１１０、１２０、１３０、１４０を構成する成分について、図５のグラフを用いて説明する。曲線２００は青色波長光７０の波長成分を示し、曲線３００は赤色波長光８０の波長成分を示す。なお、赤色波長光８０を透過するとは、赤色の透過光を肉眼で認識できる程度であればよく、例えば、赤色波長光８０のピーク波長（６３０ｎｍ）の透過率が１０％以上であることを意味する。また、青色波長光７０を透過するとは、青色の透過光を肉眼で認識できる程度であればよく、例えば、青色波長光７０のピーク波長（４７０ｎｍ）の透過率が１０％以上であることを意味する。赤色波長光８０又は青色波長光７０をほとんど透過しないとは、赤色又は青色の透過光を肉眼で認識できない程度であればよく、たとえば、各波長光７０、８０の透過率が１％以下であることを意味する。
【００２５】
まず、赤色インク層１２０及び青色インク層１３０の構成成分について説明する。赤色インク層１２０は、赤色波長光８０を透過し、青色波長光７０をほとんど透過しないインクで構成される。当該インクの透過特性は、例えば、曲線３１０が示すような透過特性である。また、青色インク層１３０は、青色波長光７０を透過し、赤色波長光８０をほとんど透過しないインクで構成される。当該インクの透過特性は、例えば、曲線２１０が示すような透過特性である。
【００２６】
色相調整層１１０の構成成分について説明する。色相調整層１１０は、曲線４００が示すような透過特性を有するインクで構成される。即ち、色相調整層１１０の透過特性は、青色波長光７０のピーク波長付近では、青色インクの透過特性（曲線２１０）と同様の透過特性を示し、青色波長光７０と赤色波長光８０との中間付近の波長では透過率が下がり、赤色波長光８０のピーク波長付近では、赤色インクの透過特性（曲線３１０）と同様の透過特性を示す。一方、輝度調整層１４０は、照射される光の透過率を一律に下げるインク、例えば、グレーインクで構成される。
【００２７】
上述したような構成成分を有する各層１１０…１４０が上述したような層構造で印刷された可変表示構造１における各層の機能について説明する。まず、青色ＬＥＤ７１のみが点灯され、青色波長光７０が照射された場合の各部３０…６０における状態について説明する。背景部３０及び赤色単色部６０では、赤色インク層１２０が設けられているため、青色波長光７０は透過されず、背景部３０及び赤色単色部６０は略黒色となる。青色単色部５０では、青色インク層１３０及び色相調整層１１０ともに青色波長光７０を透過するので、青色単色部５０は青色に表示される。
【００２８】
重複部４０では、色相調整層１１０及び輝度調整層１４０ともに青色波長光７０を透過するので、青色に表示される。その際、青色波長光７０に対する色相調整層１１０の透過特性と青色インク層１３０の透過特性とが同様のため、色相調整光１１０の透過光の波長成分と青色インク層１３０の透過光の波長成分とは同様であるから、重複部４０の青色と青色単色部５０の青色の色相を揃えることができる。青色単色部５０においては、青色インク層１３０及び色相調整層１１０が設けられているため、青色単色部５０の透過光の輝度が下がるが、重複部４０には輝度調整部１４０が設けられているので、重複部４０おける色相調整層１１０の透過光は輝度調整部１４０によって輝度を調節することができる。これにより、重複部４０における透過光の色相及び輝度と、青色単色部５０における透過光の色相及び輝度とを揃えることができる。
【００２９】
次に、赤色ＬＥＤ８１のみが点灯され、赤色波長光８０が照射された場合の各部３０…６０における状態について説明する。背景部３０及び青色単色部５０では、青色インク層１３０が設けられているため、赤色波長光８０は透過されず、背景部３０及び青色単色部５０は略黒色となる。赤色単色部６０では、赤色インク層１２０及び色相調整層１１０ともに赤色波長光８０を透過するので、赤色単色部６０は赤色に表示される。
【００３０】
重複部４０では、色相調整層１１０及び輝度調整層１４０ともに赤色波長光８０を透過するので、赤色に表示される。その際、赤色波長光８０に対する色相調整層１１０の透過特性と赤色インク層１２０の透過特性とが同様のため、色相調整光１１０の透過光の波長成分と赤色インク層１２０の透過光の波長成分とは同様であるから、重複部４０の赤色と赤色単色部６０の赤色の色相を揃えることができる。赤色単色部６０においては、赤色インク層１２０及び色相調整層１１０が設けられているため、赤色単色部６０の透過光の輝度が下がるが、重複部４０には輝度調整部１４０が設けられているので、重複部４０おける色相調整層１１０の透過光は輝度調整部１４０によって輝度を調節することができる。これにより、重複部４０における透過光の色相及び輝度と、赤色単色部６０における透過光の色相及び輝度を揃えることができる。
【００３１】
なお、上述したような形態の可変表示構造１の各層は、熱転写印刷やインモールド成形によって形成可能である。熱転写印刷には、直接印画する方法、中間転写する方法、及びプラテンに巻きつけて転写する方法等が含まれる。各層の印刷位置を予め設定しておき、各層に対応する熱転写リボンを用いて印刷すればよい。なお、熱転写印刷は、シルク印刷と比較して、各印刷層の印刷位置精度が良い点、並びに、溶剤が揮発してしまうことによるロット内の印刷色や膜圧のばらつきが少ない点、等が本発明に関して有利である。
【００３２】
本発明は、上述した形態に限らず、種々の形態にて実施されてよい。例えば、図４に示す層構造において、可変表示構造１によって表現される色が濃くなるように各層１１０、１２０、１３０、１４０を厚くした場合、熱転写印刷で各層を印刷すると印刷割れが発生しやすくなるので、これを回避するために図６のような層構造の可変表示構造１ａでもよい。可変表示構造１ａの層構造は、各層１１０…１４０の厚みが必要な厚みの半分であり、色相調整層１１０〜輝度調整層１４０までを１組の積層体Ｂとし、積層体Ｂを２段設けている。これにより、各層１１０…１４０の厚さを厚くしなくても、各層１１０…１４０の厚さが厚い場合と同様の効果が得られる。
【００３３】
また、図７に示す可変表示構造１ｂのように、輝度調整層１４０は、色相調整層１１０と同様の透過特性を有していてもよい。図８に示す可変表示構造１ｃのように、背景部３０に対応する位置には、青色波長光７０も赤色波長光８０もほとんど透過しないシャドー層１９０を設けてもよい。シャドー層１９０は例えば、青色波長光７０も赤色波長光８０もほとんど透過しない略黒色インクで構成されればよい。
【００３４】
第１の色及び第２の色として、青色と赤色との組合せに限らず、波長がある程度異なる色の組合せであればよい。また、第１の形状部１０及び第２の形状部２０の形状は上述した形状に限らず所定の形状を有していればよい。
【実施例】
【００３５】
（実施例１）
実施例１を、可変表示体１、赤色波長光及び青色波長光について下記条件で行った。
青色波長光として青色ＬＥＤを光源とするピーク波長４７０ｎｍの波長光を使用し、赤色波長光として赤色ＬＥＤを光源とするピーク波長６３０ｎｍの波長光を使用した。青色ＬＥＤの波長成分２０１及び赤色ＬＥＤの波長成分３０１を図９に示す。
赤色インク層１２０に図１０の曲線３２０が示す透過特性を有するインクを使用し、青色インク層１３０に図１０の曲線２２０が示す透過特性を有するインクを使用した。
色相調整層１１０には、各透過波長光のピーク波長周辺においては、各透過特性２２０、３２０と同様の透過特性を有し、各透過波長光の中間地点の波長では透過率が下がるような透過特性を与えた。
輝度調整層１４０は、重複部４０の輝度と単色部５０、６０の輝度とが揃うように輝度を調節するようなグレーインクで構成した。
赤色波長光又は青色波長光を点灯した場合の重複部４０の透過光の波長成分は図１０の曲線４２０のようになった。これにより、各単色部５０、６０と重複部４０との色相及び輝度をほぼ揃えることができた。
【００３６】
（実施例２）
実施例２を、可変表示体１、赤色波長光及び青色波長光について下記条件で行った。
青色波長光として青色ＬＥＤを光源とするピーク波長４７０ｎｍの波長光を使用し、赤色波長光として赤色ＬＥＤを光源とするピーク波長６３０ｎｍの波長光を使用した。青色ＬＥＤの波長成分２０１及び赤色ＬＥＤの波長成分３０１は実施例１と同様である。
赤色インク層１２０に図１１の曲線３３０が示す透過特性を有するインクを使用し、青色インク層１３０に図１１の曲線２３０が示す透過特性を有するインクを使用した。
色相調整層１１０及び輝度調整層１４０には、各透過波長光のピーク波長周辺においては、各透過特性２３０、３３０と同様の透過特性を有し、各透過波長光の中間地点の波長では透過率が下がるような透過特性を与えた。
赤色波長光又は青色波長光を点灯した場合の重複部４０の透過光の波長成分は図１１の曲線４３０のようになった。これにより、各単色部５０、６０と重複部４０との色相及び輝度をほぼ揃えることができた。
【００３７】
以下、実施例３〜実施例９までは、可変表示構造１における第１のインクによる第１の透過層、第２のインクによる第２透過層、第１の光調整層（色相調整層）、及び第２の光調整層（輝度調整層）のそれぞれに対して、ブルー（Ｂｌｕｅ）光（ピーク波長４７０ｍｍ）、シアン（Ｃｙａｎ）光（ピーク波長５００ｍｍ）、グリーン（Ｇｒｅｅｎ）光（ピーク波長５２０ｍｍ）、イエロー（Ｙｅｌｌｏｗ）光（ピーク波長５８０ｍｍ）、オレンジ（Ｏｒａｎｇｅ）光（ピーク波長６００ｍｍ）、及びレッド（Ｒｅｄ）光（ピーク波長６３０ｍｍ）の各波長光を照射して各層に関する透過率を計測した。第１の透過層及び第１の光調整層を同じ程度の透過率で透過し、第２の透過層をほとんど透過しない波長光は第１の波長光として適切であり、第２の透過層及び第１の光調整層を同じ程度の透過率で透過し、第１の透過層をほとんど透過しない波長光は第２の波長光として適切である。
【００３８】
（実施例３）
実施例３においては、第１のインクの色、第２のインクの色、第１の光調整層の色及び第２の光調整層の色のそれぞれを下記のように設定して実施した。
第１のインクの色：インダントロン系顔料による青色
第２のインクの色：ジケトピロロピロール系顔料による赤色
第１の光調整層の色：キナクリドン系顔料による紅色
第２の光調整層の色：カーボンによる薄黒色
計測結果の透過率特性グラフを図１２Ａに示し、各波長光のピーク波長の各層に対する透過率を示す透過率表を図１２Ｂに示す。図１２Ｂに示すように、ブルー光及びシアン光は第１の波長光として適切であり、オレンジ光及びレッド光は第２の波長光として適切である。グリーン光及びイエロー光は第１の透過層の透過率も第２の透過層の透過率も充分でないため本発明の波長光として適切ではない。
【００３９】
（実施例４）
実施例４においては、第１のインクの色、第２のインクの色、第１の光調整層の色及び第２の光調整層の色のそれぞれを下記のように設定して実施した。
第１のインクの色：インダントロン系顔料による青色
第２のインクの色：ジケトピロロピロール系顔料による橙色
第１の光調整層の色：キナクリドン系顔料による紅色
第２の光調整層の色：カーボンによる薄黒色
計測結果の透過率特性グラフを図１３Ａに示し、各波長光のピーク波長の各層に対する透過率を示す透過率表を図１３Ｂに示す。図１３Ｂに示すように、ブルー光及びシアン光は第１の波長光として適切であり、オレンジ光及びレッド光は第２の波長光として適切である。グリーン光及びイエロー光は第１の透過層の透過率も第２の透過層の透過率も充分でないため本発明の波長光として適切ではない。
【００４０】
（実施例５）
実施例５においては、第１のインクの色、第２のインクの色、第１の光調整層の色及び第２の光調整層の色のそれぞれを下記のように設定して実施した。
第１のインクの色：銅フタロシアニン系顔料による藍色
第２のインクの色：ジケトピロロピロール系顔料による赤色
第１の光調整層の色：キナクリドン系顔料による紅色
第２の光調整層の色：カーボンによる薄黒色
計測結果の透過率特性グラフを図１４Ａに示し、各波長光のピーク波長の各層に対する透過率を示す透過率表を図１４Ｂに示す。図１４Ｂに示すように、ブルー光、シアン光及びグリーン光は第１の波長光として適切であり、オレンジ光及びレッド光は第２の波長光として適切である。イエロー光は第１の透過層の透過率も第２の透過層の透過率も充分でないため本発明の波長光として適切ではない。
【００４１】
（実施例６）
実施例６においては、第１のインクの色、第２のインクの色、第１の光調整層の色及び第２の光調整層の色のそれぞれを下記のように設定して実施した。
第１のインクの色：銅フタロシアニン系顔料による藍色
第２のインクの色：ジケトピロロピロール系顔料による橙色
第１の光調整層の色：キナクリドン系顔料による紅色
第２の光調整層の色：カーボンによる薄黒色
計測結果の透過率特性グラフを図１５Ａに示し、各波長光のピーク波長の各層に対する透過率を示す透過率表を図１５Ｂに示す。図１５Ｂに示すように、ブルー光、シアン光及びグリーン光は第１の波長光として適切であり、オレンジ光及びレッド光は第２の波長光として適切である。イエロー光は第１の透過層の透過率も第２の透過層の透過率も充分でないため本発明の波長光として適切ではない。
【００４２】
（実施例７）
実施例７においては、第１のインクの色、第２のインクの色、第１の光調整層の色及び第２の光調整層の色のそれぞれを下記のように設定して実施した。
第１のインクの色：銅フタロシアニン系顔料による藍色
第２のインクの色：ジケトピロロピロール系顔料による橙色
第１の光調整層の色：ニッケルアゾイエロー系顔料による黄色
第２の光調整層の色：カーボンによる薄黒色
計測結果の透過率特性グラフを図１６Ａに示し、各波長光のピーク波長の各層に対する透過率を示す透過率表を図１６Ｂに示す。図１６Ｂに示すように、シアン光は第１の波長光として適切であり、オレンジ光及びレッド光は第２の波長光として適切である。ブルー光、グリーン光は第１の透過層の透過率と第１の光調整層の透過率との差が大きいため本発明の波長光として適切ではない。イエロー光は第２の透過層の透過率と第１の光調整層との差が大きいため本発明の波長光として適切ではない。
【００４３】
（実施例８）
実施例８においては、第１のインクの色、第２のインクの色、第１の光調整層の色及び第２の光調整層の色のそれぞれを下記のように設定して実施した。
第１のインクの色：ハロゲン化銅フタロシアニン系顔料による緑色
第２のインクの色：ジケトピロロピロール系顔料による赤色
第１の光調整層の色：ニッケルアゾイエロー系顔料による黄色
第２の光調整層の色：カーボンによる薄黒色
計測結果の透過率特性グラフを図１７Ａに示し、各波長光のピーク波長の各層に対する透過率を示す透過率表を図１７Ｂに示す。図１７Ｂに示すように、シアン光及びグリーン光は第１の波長光として適切であり、オレンジ光及びレッド光は第２の波長光として適切である。ブルー光は第１の透過層の透過率と第１の光調整層の透過率との差が大きいため本発明の波長光として適切ではない。イエロー光は第１の透過層の透過率も第２の透過層の透過率も充分でないため本発明の波長光として適切ではない。
【００４４】
（実施例９）
実施例９においては、第１のインクの色、第２のインクの色、第１の光調整層の色及び第２の光調整層の色のそれぞれを下記のように設定して実施した。
第１のインクの色：ハロゲン化銅フタロシアニン系顔料による緑色
第２のインクの色：ジケトピロロピロール系顔料による橙色
第１の光調整層の色：ニッケルアゾイエロー系顔料による黄色
第２の光調整層の色：カーボンによる薄黒色
計測結果の透過率特性グラフを図１８Ａに示し、各波長光のピーク波長の各層に対する透過率を示す透過率表を図１８Ｂに示す。図１８Ｂに示すように、シアン光及びグリーン光は第１の波長光として適切であり、オレンジ光及びレッド光は第２の波長光として適切である。ブルー光は第１の透過層の透過率と第１の光調整層の透過率との差が大きいため本発明の波長光として適切ではない。イエロー光は第１の透過層の透過率も第２の透過層の透過率も充分でないため本発明の波長光として適切ではない。
【００４５】
（比較例１）
比較例１を、色相調整層１１０を設けない状態の可変表示体１、赤色波長光及び青色波長光について下記条件で行った。
青色波長光として青色ＬＥＤを光源とするピーク波長４７０ｎｍの波長光を使用し、
赤色波長光として赤色ＬＥＤを光源とするピーク波長６３０ｎｍの波長光を使用した。
赤色インク層１２０に図１９の曲線３４０が示す透過特性を有するインクを使用し、青色インク層１３０に図１９の曲線２４０が示す透過特性を有するインクを使用した。
輝度調整層１４０は、重複部４０の輝度と各単色部５０、６０の輝度とが揃うように輝度を調節するようなグレーインクで構成した。
赤色波長光又は青色波長光を点灯した場合の重複部４０の透過光の波長成分は図１９の曲線４４０のようになった。これにより、重複部４０の色相と各単色部５０、６０の色相とが揃っていない状態となった。
【図面の簡単な説明】
【００４６】
【図１】本発明の可変表示構造の一例の正面図。
【図２】青色波長光のみを点灯した場合の可変表示構造のようすを示す図。
【図３】赤色波長光のみを点灯した場合の可変表示構造のようすを示す図。
【図４】図１に示す可変表示構造の層構造を示す図。
【図５】可変表示構造を構成する各層の透過特性を示すグラフ。
【図６】各層の厚さを薄くした場合の可変表示構造の層構造を示す図。
【図７】図４の層構造において、輝度調整部が色相調整部と同様の透過特性を有する場合の形態を示す図。
【図８】図４の層構造において、可変表示構造にシャドー層を設けた場合の形態を示す図。
【図９】実施例１及び２における波長光の波長成分を示す図。
【図１０】実施例１における重複部の透過光の波長成分を示す図。
【図１１】実施例２における重複部の透過光の波長成分を示す図。
【図１２Ａ】実施例３における透過率特性グラフを示す図。
【図１２Ｂ】実施例３における透過率表を示す図。
【図１３Ａ】実施例４における透過率特性グラフを示す図。
【図１３Ｂ】実施例４における透過率表を示す図。
【図１４Ａ】実施例５における透過率特性グラフを示す図。
【図１４Ｂ】実施例５における透過率表を示す図。
【図１５Ａ】実施例６における透過率特性グラフを示す図。
【図１５Ｂ】実施例６における透過率表を示す図。
【図１６Ａ】実施例７における透過率特性グラフを示す図。
【図１６Ｂ】実施例７における透過率表を示す図。
【図１７Ａ】実施例８における透過率特性グラフを示す図。
【図１７Ｂ】実施例８における透過率表を示す図。
【図１８Ａ】実施例９における透過率特性グラフを示す図。
【図１８Ｂ】実施例９における透過率表を示す図。
【図１９】比較例１における重複部の透過光の波長成分を示す図。
【符号の説明】
【００４７】
１        可変表示構造
１０        第１の形状部
２０        第２の形状部
４０        重複部
５０        第１の単色部（青色単色部）
６０        第２の単色部（赤色単色部）
７０        青色波長光（第１の色に対応する波長光）
８０        赤色波長光（第２の色に対応する波長光)
１１０      色相調整層（第２の光調整層）
１４０      輝度調整層（第１の光調整層）
１２０      赤色インク層（第２の透過層）
１３０      青色インク層（第１の透過層）
【図１】
2008257054.tif 000003
【図２】
2008257054.tif 000004
【図３】
2008257054.tif 000005
【図４】
2008257054.tif 000006
【図５】
2008257054.tif 000007
【図６】
2008257054.tif 000008
【図７】
2008257054.tif 000009
【図８】
2008257054.tif 000010
【図９】
2008257054.tif 000011
【図１０】
2008257054.tif 000012
【図１１】
2008257054.tif 000013
【図１２Ａ】
2008257054.tif 000014
【図１２Ｂ】
2008257054.tif 000015
【図１３Ａ】
2008257054.tif 000016
【図１３Ｂ】
2008257054.tif 000017
【図１４Ａ】
2008257054.tif 000018
【図１４Ｂ】
2008257054.tif 000019
【図１５Ａ】
2008257054.tif 000020
【図１５Ｂ】
2008257054.tif 000021
【図１６Ａ】
2008257054.tif 000022
【図１６Ｂ】
2008257054.tif 000023
【図１７Ａ】
2008257054.tif 000024
【図１７Ｂ】
2008257054.tif 000025
【図１８Ａ】
2008257054.tif 000026
【図１８Ｂ】
2008257054.tif 000027
【図１９】
2008257054.tif 000028